(57)【要約】【課題】表示データを送る操作を行いながら所望するデータを探し出す場合に、例え、大量のデータの中からでも所望するデータを効率良く探し出して表示できるようにする。【解決手段】表示データ制御装置を構成する制御部１は、データ記憶部Ｍ２内の複数のデータを分類別に順序付けた各分類系列のデータとして管理している状態において、タッチ表示部５上でスライド操作が行われた場合にその移動方向が複数の所定方向のいずれに該当しているかを判別して、その方向に対応付けられている分類系列を選択すると共に、その分類系列に対応するデータの送り動作をスライド操作に応じて制御する。【選択図】  図１
2013117907.tif 000002
【特許請求の範囲】
【請求項１】
表示データの送り動作をタッチ入力手段上のタッチ操作に応じて制御する表示データ制御装置であって、
複数のデータを分類別に順序付けた各分類系列のデータとして管理するデータ管理手段と、
前記タッチ入力手段上でタッチしながら移動するスライド操作の移動方向を検出する移動方向検出手段と、
前記移動方向検出手段により検出された移動方向が複数の所定方向のいずれに該当しているかを判別する判別手段と、
前記複数の所定方向と前記各分類系列とが対応付けられている対応関係の中から前記判別手段により判別された移動方向に対応する前記分類系列を選択する選択手段と、
前記選択手段により選択された前記分類系列に対応するデータの送り動作を前記スライド操作に応じて制御する送り制御手段と、
を備えることを特徴とする表示データ制御装置。
【請求項２】
前記複数の所定方向と各分類系列との対応関係を設定する設定手段を更に備え、
前記選択手段は、前記設定手段により設定された対応関係に基づいて、前記移動方向に対応する分類系列を選択する、
ようにしたことを特徴とする請求項１に記載の表示データ制御装置。
【請求項３】
前記分類別に順序付けた分類系列は、上位の分類系列とその下位の分類系列を有し、
前記選択手段は、前記複数の所定方向のいずれかの方向が前記上位の分類系列に対応付けられ、他のいずれかの方向が前記下位の分類系列に対応付けられている対応関係の中から前記判別手段により判別された移動方向に対応する前記上位の分類系列あるいは下位の分類系列を選択する、
ようにしたことを特徴とする請求項１あるいは請求項２に記載の表示データ制御装置。
【請求項４】
前記上位の分類系列は、日付に順序付けた日付系列であり、前記下位の分類系列は、時刻に順序付けた時刻系列である、
ことを特徴とする請求項３に記載の表示データ制御装置。
【請求項５】
前記複数の所定方向は、左右方向と上下方向であり、
前記判別手段は、前記移動方向検出手段により検出された移動方向が左右方向、上下方向のいずれに該当しているかを判別する、
ようにしたことを特徴とする請求項１〜請求項４のいずれかに記載の表示データ制御装置。
【請求項６】
前記複数の所定方向は、左右方向と上下方向であり、
前記判別手段は、前記移動方向検出手段により検出された移動方向が左右方向と上下方向とに対して斜めとなる方向である場合に、前記左右方向及び上下方向を座標軸とする座標系上のどの象限内に前記斜め方向が含まれているかを更に判別し、
前記選択手段は、前記判別手段により判別された象限に属する左右方向及び上下方向に対応して前記分類系列をそれぞれ選択し、
前記送り制御手段は、前記選択手段により選択された各分類系列を組み合わせたデータに対する送り動作を制御する、
ようにしたことを特徴とする請求項１〜請求項５のいずれかに記載の表示データ制御装置。
【請求項７】
前記タッチ入力手段上で前記スライド操作の移動方向とは異なる操作状態を検出する操作状態検出手段と、
前記操作状態検出手段により検出された操作状態に応じて、前記送り制御手段による送り動作の種類を変更する制御を行う変更制御手段と、
を更に備える、
ようにしたことを特徴とする請求項１〜請求項６のいずれかにに記載の表示データ制御装置。
【請求項８】
前記操作状態検出手段は、前記タッチ入力手段上でタッチしながら移動する前のタッチ操作のタッチ時間を検出し、
前記変更制御手段は、前記操作状態検出手段により検出されたタッチ時間に基づいて前記送り制御手段による送り動作の種類を変更する制御を行う、
ようにしたことを特徴とする請求項７に記載の表示データ制御装置。
【請求項９】
前記状態検出手段は、前記タッチ入力手段上で複数の位置を同時にタッチしながら同一方向に移動するマルチタッチ操作が行われた場合に、そのマルチタッチ数を検出し、
前記変更制御手段は、前記操作状態検出手段により検出されたマルチタッチ数に基づいて前記送り制御手段による送り動作の種類を変更する制御を行う、
ようにしたことを特徴とする請求項７に記載の表示データ制御装置。
【請求項１０】
前記変更制御手段は、前記送り制御手段による送り動作として送り量を変更する制御を行う、
ようにしたことを特徴とする請求項８あるいは請求項９に記載の表示データ制御装置。
【請求項１１】
前記変更制御手段は、前記送り制御手段による送り動作として送り対象の前記分類系列を変更する制御を行う、
ようにしたことを特徴とする請求項８あるいは請求項９に記載の表示データ制御装置。
【請求項１２】
前記送り制御手段が制御する送り動作の制御内容を識別可能に出力する出力手段を更に備える、
ようにしたことを特徴とする請求項１〜１１のいずれかに記載の表示データ制御装置。
【請求項１３】
複数のデータを分類別に順序付けた各分類系列のデータとして管理するステップと、
タッチ入力手段上でタッチしながら移動するスライド操作の移動方向を検出するステップと、
前記検出された移動方向が複数の所定方向のいずれに該当しているかを判別するステップと、
前記複数の所定方向と前記各分類系列とが対応付けられている対応関係の中から前記判別された移動方向に対応する前記分類系列を選択するステップと、
前記選択された前記分類系列に対応するデータの送り動作を前記スライド操作に応じて制御するステップと、
を備えることを特徴とする表示データ制御方法。
【請求項１４】
コンピュータに対して、
複数のデータを分類別に順序付けた各分類系列のデータとして管理する機能と、
タッチ入力手段上でタッチしながら移動するスライド操作の移動方向を検出する機能と、
前記検出された移動方向が複数の所定方向のいずれに該当しているかを判別する機能と、
前記複数の所定方向と前記各分類系列とが対応付けられている対応関係の中から前記判別された移動方向に対応する前記分類系列を選択する機能と、
前記選択された前記分類系列に対応するデータの送り動作を前記スライド操作に応じて制御する機能と、
を実現させるためのプログラム。
【発明の詳細な説明】
【技術分野】
【０００１】
本発明は、表示データの送り動作をタッチ操作に応じて制御する表示データ制御装置及び表示データ制御方法並びにプログラムに関する。
【背景技術】
【０００２】
一般に、指などで接触することによってコマンドやデータを入力するタッチパネルを備えた電子機器として、例えば、デジタルカメラ（コンパクトカメラ）やスマートフォンと呼ばれている多機能型携帯電話機などでは、タッチパネルはソフトウェアキー以外にも、表示されているデータの送り動作をタッチ操作に応じて制御するようにした使い方がある。例えば、従来においては、タッチパネル上でのなぞり操作により、動作モードに応じて、なぞった方向や量に基づいて画像送りや拡大画像の画面スクロールなどの処理を行うようにした技術が開示されている（特許文献１参照）。
【先行技術文献】
【特許文献】
【０００３】
【特許文献１】特開２００３―３３８９７５号公報
【発明の概要】
【発明が解決しようとする課題】
【０００４】
しかしながら、画像などのデータの送り操作は、１データ毎の送り操作となり、目的とするデータにたどり着くまでに時間がかかってしまう。例えば、タッチパネルを装着したデジタルカメラにおいては、撮影した画像を確認する場合に、タッチパネル上を指でなぞるだけで次の画像に送ることができるために感覚的な送り操作が可能となるが、例えば、古い日時から新しい日時の順に画像を送りながら所望する画像を探し出す場合に、カメラ内に保存されている画像数が多ければ多いほど、操作数が多くなり、所望する画像を探し出すまでに時間がかかってしまうという問題があった。
【０００５】
本発明の課題は、表示データを送る操作を行いながら所望するデータを探し出す場合に、例え、大量のデータの中からでも所望するデータを効率良く探し出して表示できるようにすることである。
【課題を解決するための手段】
【０００６】
上述した課題を解決するために本発明の一つの態様は、
表示データの送り動作をタッチ入力手段上のタッチ操作に応じて制御する表示データ制御装置であって、
複数のデータを分類別に順序付けた各分類系列のデータとして管理するデータ管理手段と、
前記タッチ入力手段上でタッチしながら移動するスライド操作の移動方向を検出する移動方向検出手段と、
前記移動方向検出手段により検出された移動方向が複数の所定方向のいずれに該当しているかを判別する判別手段と、
前記複数の所定方向と前記各分類系列とが対応付けられている対応関係の中から前記判別手段により判別された移動方向に対応する前記分類系列を選択する選択手段と、
前記選択手段により選択された前記分類系列に対応するデータの送り動作を前記スライド操作に応じて制御する送り制御手段と、
を備えることを特徴とする表示データ制御装置である。
【０００７】
上述した課題を解決するために本発明の他の態様は、
複数のデータを分類別に順序付けた各分類系列のデータとして管理するステップと、
タッチ入力手段上でタッチしながら移動するスライド操作の移動方向を検出するステップと、
前記検出された移動方向が複数の所定方向のいずれに該当しているかを判別するステップと、
前記複数の所定方向と前記各分類系列とが対応付けられている対応関係の中から前記判別された移動方向に対応する前記分類系列を選択するステップと、
前記選択された前記分類系列に対応するデータの送り動作を前記スライド操作に応じて制御するステップと、
を備えることを特徴とする表示データ制御方法である。
【０００８】
更に、上述した課題を解決するために本発明の他の態様は、
コンピュータに対して、
複数のデータを分類別に順序付けた各分類系列のデータとして管理する機能と、
タッチ入力手段上でタッチしながら移動するスライド操作の移動方向を検出する機能と、
前記検出された移動方向が複数の所定方向のいずれに該当しているかを判別する機能と、
前記複数の所定方向と前記各分類系列とが対応付けられている対応関係の中から前記判別された移動方向に対応する前記分類系列を選択する機能と、
前記選択された前記分類系列に対応するデータの送り動作を前記スライド操作に応じて制御する機能と、
を実現させるためのプログラムである。
【発明の効果】
【０００９】
本発明によれば、表示データを送る操作を行いながら所望するデータを探し出す場合に、例え、大量のデータの中からでも所望するデータを効率良く探し出して表示することができ、ユーザの負担を大幅に軽減することが可能となり、利便性の高いものとなる。
【図面の簡単な説明】
【００１０】
【図１】表示データ制御装置の基本的な構成要素を示したブロック図。
【図２】（１）は、動作設定テーブルＴＢ１、（２）は、方向設定テーブルＴＢ２を説明するための図。
【図３】タッチ表示部５を構成するタッチセンサ７上がタッチされた際に実行開始されるデータ送り動作を示したフローチャート。
【図４】スライド操作（なぞり操作）の移動方向に応じてデータ送りが行われる場合を具体的に示した図。
【図５】更に、スライド操作（なぞり操作）の移動方向に応じてデータ送りが行われる場合を具体的に示した図。
【図６】第二実施形態における動作設定テーブルＴＢ１を説明するための図。
【図７】第二実施形態において、タッチ表示部５を構成するタッチセンサ７上でマルチタッチ操作（なぞり操作）が行われた際に実行開始されるデータ送り動作を示したフローチャート。
【図８】第二実施形態において、マルチタッチ操作（なぞり操作）の移動方向に応じてデータ送りが行われる場合を具体的に示した図。
【図９】第二実施形態において、更に、マルチタッチ操作（なぞり操作）の移動方向に応じてデータ送りが行われる場合を具体的に示した図。
【図１０】（１）、（２）は、本発明の変形応用例を説明するための図。
【発明を実施するための形態】
【００１１】
以下、本発明の実施の形態について、図面を参照して詳細に説明する。
（第一実施形態）
先ず、図１〜図５を参照して本発明の第一実施形態を説明する。
第一実施形態は、指などで接触することによってコマンドやデータを入力するタッチパネルを備えた電子機器（表示データ制御装置）として、デジタルカメラ（コンパクトカメラ）やスマートフォンと呼ばれている多機能型携帯電話機に適用したもので、図１は、この表示データ制御装置の基本的な構成要素を示したブロック図である。
表示データ制御装置の中核である制御部１は、電源部（例えば、二次電池）２からの電力供給によって動作し、記憶部３内の各種のプログラムに応じてこの表示データ制御装置の全体動作を制御するもので、この制御部１には図示しないＣＰＵ（中央演算処理装置）やメモリなどが設けられている。
【００１２】
記憶部３は、例えば、ＲＯＭ、フラッシュメモリなどを有する構成で、後述する図３に示した動作手順に応じて本実施形態を実現するためのプログラムや各種のアプリケーションなどが格納されているプログラム記憶部Ｍ１と、画像データなどを記憶するデータ記憶部Ｍ２と、後述する動作設定テーブルＴＢ１、方向設定テーブルＴＢ２を有するほか、この表示データ制御装置が動作するために必要となる各種の情報（例えば、フラグ、タイマなど）を一時的に記憶するワーク領域を有する構成となっている。なお、記憶部３は、例えば、ＳＤカード、ＩＣカードなど、着脱自在な可搬型メモリ（記録メディア）を含む構成であってもよく、図示しないが、通信機能を介してネットワークに接続された状態においては所定の外部サーバ側の記憶領域を含むものであってもよい。操作部４は、図示省略したが、電源ボタンなど、押しボタン式の各種キーを備えたもので、制御部１は、この操作部４からの入力操作信号に応じた処理を行う。
【００１３】
タッチ表示部５は、表示部６とタッチセンサ７とを有し、指などでのタッチ操作を感知してそのタッチ操作に応じたデータを入力するもので、このタッチ表示部５を構成する表示部６は、例えば、高精細な液晶ディスプレイで、ソフトウェアキーとしての機能名を表示するほか、画像などのデータを表示する。この表示部６の表示面全体には、透明なタッチセンサ７が積層配設されている。タッチセンサ７は、静電容量方式、抵抗皮膜方式、電磁誘導方式、圧電方式などの各種方式のうち、第一実施形態においては軽量化、光透過性、耐久性などに優れた静電容量方式を採用するようにしているが、その他の方式を採用するようにしてもよく、また、タッチ操作は接近又は接触操作であってもよい。
【００１４】
この表示部６に画像などのデータが表示されている状態において制御部１は、その表示されているデータの送り動作をタッチセンサ７上のタッチ操作に応じて制御するようにしている。すなわち、タッチセンサ７上をタッチしながら移動するスライド操作（なぞり操作）が行われた場合に、制御部１は、タッチセンサ７からの出力信号に基づいてそのスライド操作の移動方向（なぞり方向）を検出し、その移動方向が複数の所定方向のいずれに該当しているか、例えば、直交する二方向、上下方向（縦方向）と左右方向（横方向）のいずれの方向に該当しているかを判別する。この場合、スライド操作の移動方向が縦方向（縦なぞり）であるか、横方向（横なぞり）であるかを判別し、その判別方向に応じてデータの送り動作を制御するようにしている。その結果、例えば、後で詳述するが、“縦なぞり”であれば、日付単位のデータ送り、“横なぞり”であれば、時刻単位のデータ送りを行うようにしている。
【００１５】
図２は、動作設定テーブルＴＢ１、方向設定テーブルＴＢ２を説明するための図で、（１）は、動作設定テーブルＴＢ１を示し、（２）は、方向設定テーブルＴＢ２を示した図である。
動作設定テーブルＴＢ１は、画像などのデータの送り動作をタッチセンサ７上のスライド操作に応じて制御する場合に、どのような送り動作を行わせるかを設定する設定用のテーブルで、図２（１）に示すように「計測時間」に対応して「送り量」、「送り対象」の項目を有する構成となっている。この場合、「送り量」、「送り対象」に対応付けられている「有効フラグ」は、「送り量」、「送り対象」のいずれの項目を有効とするかを示すもので、“１”は現在有効な項目であることを示し、その値はユーザ操作により任意に変更可能となっている。なお、図示の例では、「送り量」の「有効フラグ」が“１”の場合で、「計測時間」の値に応じた「送り量」が設定されることを示している。
【００１６】
「計測時間」は、データ送りを指示するスライド操作を行うためにタッチセンサ７上でタッチしながら移動する前のタッチ時間、つまり、スライド操作を行うためにタッチを開始してから移動するまでのタッチ時間（最初のタッチ位置で静止しているタッチ静止時間）をタイマ（図示省略）によって計測されるもので、図示の例では、「計測時間」として、“~１秒”、“１~２秒”、“２~３秒”、“３~４秒”、“４秒~”が記憶されている。なお、「計測時間」の値及びその数は、必要に応じてユーザ操作により任意に変更可能となっている。
【００１７】
「送り量」は、タッチセンサ７上でのスライド操作に応じてデータ送りを行う場合の送り量（第一実施形態においてはスライド操作１回当たりの送り量）を示したもので、図示の例では、「計測時間」の“~１秒”、“１~２秒”、“２~３秒”、“~４秒”、“４秒~”に対応して「送り量」には、“１データ”、“２データ”、“３データ”、“５データ”、“１０データ”が記憶されている。ここで、“１データ”、…、“１０データ”とは、データが静止画像であれば、画像の送り枚数、つまり１枚、…、１０枚であることを示し、データがページであれば、送りページ数、つまり１ページ、…、１０ページであることを示している。この「送り量」は、「計測時間」の値に応じて選択されて、テータを送る際の送り量として設定される。なお、「送り量」の値及びその数は、必要に応じてユーザ操作により任意に変更可能となっている。
【００１８】
「送り対象」は、データ送りの対象として、どのような種類のデータとするかを示したもので、本実施形態においては、複数のデータを分類別に順序付けた分類系列をテータ種としている。なお、「送り対象」の値及びその数は、必要に応じてユーザ操作により任意に変更可能となっている。ここで、データ記憶部Ｍ２に複数のデータ（例えば、撮影画像：静止画像）がその撮影日時順にしたがって順次記憶されている場合において、制御部１は、データ記憶部Ｍ２内の各画像データを分類別に順序付けた各分類系列のデータとして管理するようにしている。
【００１９】
すなわち、制御部１は、データ記憶部Ｍ２内の複数の画像データをその個々に付加されているタイムスタンプ（撮影日時）、撮影場所や被写体人物などを識別する付加情報（ヘッダー情報）を参照して、例えば、日付の並び（例えば、２日、３日、４日、…）に順序付けた日付の分類系列（日付順）のデータとして管理したり、一日の時刻の並び（例えば、０時、０時３０分、１時、２時、…）に順序付けた時刻の分類系列（時刻順）のデータとして管理したり、場所毎に撮影日時の並びに順序付けた場所の分類系列（場所順）のデータとして管理したり、人物毎に撮影日時の並びに順序付けた人物の分類系列（人物順）のデータとして管理したりするようにしている。
【００２０】
「送り対象」には、上位の分類系列とその下位の分類系列を有し、図中、“日付順／時刻順”において、その左側の“日付順”が上位の分類系列を示し、右側の“時刻順”が左側の“日付順”に対して下位の分類系列を示している。同様に、「送り対象」の“月順／時刻順”は、月（カレンダ情報）の並びに順序付けた月の分類系列／時刻の分類系列を示し、その左側の“月順”が上位の分類系列を示し、右側の“時刻順”が左側の“月順”に対して下位の分類系列を示している（以下、同様）。
【００２１】
なお、図中、“年順”は、年（カレンダ情報）の並びに順序付けた年の分類系列である。また、“場所順”は、例えば、観光旅行などの場合にはその観光ルートの並びに順序付けた場所の分類系列である。“人物”は、例えば、知人などをそのアイウエオ順の並びに順序付けた人物の分類系列である。図示の例では、「計測時間」の“~１秒”、“１~２秒”、“２~３秒”、“３~４秒”、“４秒~”に対応して「送り対象」には、“日付順／時刻順”、“月順／時刻順”、“年順／時刻順”、“場所順／時刻順”、“人物／時刻順”が記憶されている。この「送り対象」は、「計測時間」の値に応じて選択されて、どのような種類の分類のデータを送るかを示す送り対象として設定される。
【００２２】
方向設定テーブルＴＢ２は、タッチセンサ７上でのスライド操作の移動方向（上下方向、左右方向）に対応付けて上位の分類系列、下位の分類系列をどのように割り当てるかを設定するためのテーブルで、その二方向のいずれか一方を上位の分類系列に対応付け、他方を下位の分類系列に対応付けた対応関係を記憶するようにしている。すなわち、方向設定テーブルＴＢ２は、図２（２）に示すように「種類」、「上下方向」、「左右方向」の各項目を有する構成となっている。「種類」は、直交する二方向（上下方向と左右方向）、つまり、上下方向（縦方向）と左右方向（横方向）のうち、どの方向に上位の分類系列を対応付けるかを示し、“上下上位”は、「上下方向」に“上位の分類系列”を割り当て、「左右方向」に下位の分類系列”を割り当てることを示している。また、「種類」が“左右上位”は、「左右方向」に“上位の分類系列”を割り当て、「上下方向」に“下位の分類系列”を割り当てることを示している。
【００２３】
また、「種類」の“上下上位”、“左右上位”にはそれぞれ「有効フラグ」の項目が設けられている。「有効フラグ」は、“上下上位”、“左右上位”のうち、そのいずれが有効であるかを示すもので、“１”は現在有効な項目であることを示し、ユーザ操作によりその値は任意に変更可能となっている。なお、図示の例は、“上下上位”が有効な項目として選択された場合を示している。なお、図２（２）において方向設定テーブルＴＢ２の下側の図は、「種類」を図式的に説明するための図で、図中、左側は、方向別設定が“上下上位”の場合、右側は、方向別設定が“左右上位”の場合を図式化したものである。
【００２４】
ここで、“上下上位”の場合に上下方向に上位の分類系列が割り当てられている状態において、その下方向が昇順の送り、上方向が降順の送りとなり、また、左右方向に下位の分類系列が割り当てられている状態において、その右方向が昇順の送り、左方向が降順の送りとなっている。また、“左右上位”の場合に左右方向に上位の分類系列が割り当てられている状態において、その右方向が昇順の送り、左方向が降順の送りとなり、また、上下方向に下位の分類系列が割り当てられている状態において、その下方向が昇順の送り、上方向が降順の送りとなっている。
【００２５】
次に、第一実施形態におけるデータ表示通制御装置の動作概念を図３に示すフローチャートを参照して説明する。ここで、このフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。なお、図３は、表示データ制御装置の全体動作のうち、第一実施形態の特徴部分の動作概要を示したフローチャートであり、この図３のフローから抜けた際には、全体動作のメインフロー（図示省略）に戻る。
【００２６】
図３は、タッチ表示部５を構成するタッチセンサ７上がタッチされた際に実行開始されるデータ送り動作を示したフローチャートである。なお、図３は、スライド操作（なぞり操作）やシングルタッチ操作が行われた場合の動作を示したもので、それ以外のタッチ操作が行われた場合の動作は図示省略したものである。以下、データ送り動作を図４、図５を参照して具体的に説明するものとする。
【００２７】
図４は、スライド操作（なぞり操作）の移動方向に応じてデータ送りが行われる場合を具体的に示した図で、動作設定テーブルＴＢ１においてタイマ計測時間が“〜１秒”の場合、「有効フラグ」が“１”の項目が「送り量」で“１データ”の場合、「送り対象」が“日付順／時刻順”の場合、更に方向設定テーブルＴＢ２において方向別設定が“上下上位”の場合を例示したものである。いま、図中、中央位置に表示されているデータＤＣ１は、スライド操作前に表示されている画像であり、例えば、データ記憶部Ｍ２内に記憶されている時系列の各データ（画像）のうち、その最新の画像／最古の画像、あるいはユーザ操作により任意に選択された画像で、図中、○印は、スライド操作を行うために最初にタッチされた位置を示している。なお、データＤＣ１は、スライド操作時の最初のタッチで表示されるようにしてもよい（以下、同様）。
【００２８】
図５は、更に、スライド操作（なぞり操作）の移動方向に応じてデータ送りが行われる場合を具体的に示した図で、動作設定テーブルＴＢ１においてタイマ計測時間が“１〜２秒”の場合、「有効フラグ」が“１”の項目が「送り対象」で“月順／時刻順”の場合、「送り量」が“１データ”の場合、更に方向設定テーブルＴＢ２において方向別設定が“上下上位”の場合を例示したものである。いま、図中、中央位置に表示されているデータＤＣ２は、図４の場合と同様に、最新の画像／最古の画像、あるいはユーザ操作により任意に選択された画像で、スライド操作前に表示されている場合に限らす、スライド操作時の最初のタッチで表示されたデータであってもよい。図中、○印は、スライド操作を行うために最初にタッチされた位置を示している。
【００２９】
先ず、制御部１は、タッチセンサ７上へのタッチ操作の検出に応じてタイマ（図示省略）の計測動作を開始（図３のステップＡ１）させた後、現在のタッチ位置が変化したか、つまり、タッチしながら移動するスライド操作が開始されたかを調べたり（ステップＡ２）、タッチセンサ７上へのタッチ操作が解除されたかを調べたりする（ステップＡ３）。いま、タッチ移動開始を検出しないまま（ステップＡ２でＮＯ）、タッチ操作の解除を検出したときには（ステップＡ３でＹＥＳ）、シングルタッチであると判断して、上述のタイマの計測動作を停止させるほか、シングルタッチに応じた処理（ステップＡ４）を行った後、タイマをリセットして（ステップＡ１８）、図３のフローから抜ける。また、タッチ操作の解除が検出されなければ（ステップＡ３でＮＯ）、上述のステップＡ２に戻り、タイマの計測動作をそのまま継続させる。
【００３０】
ここで、制御部１は、タッチ位置の変化によりタッチ移動を検出すると（ステップＡ２でＹＥＳ）、スライド操作が開始されたものと判断して上述のタイマの計測動作を停止させる（ステップＡ５）。そして、動作設定テーブルＴＢ１を参照して（ステップＡ６）、その「送り量」の「有効フラグ」が“１”であるかを調べ（ステップＡ７）、「送り量」の「有効フラグ」が“１”であれば（ステップＡ７でＹＥＳ）、タイマの計測時間に基づいて動作設定テーブルＴＢ１の「送り量」を検索して今回の送り動作の設定値とする（ステップＡ８）。このようにスライド操作とは異なる操作状態（タッチ静止時間）に応じて、送り動作の種類（送り量）が変更される。なお、この場合の「送り対象」としては、デフォルト値（例えば、日付順／時刻順）を設定したり、ユーザ操作で任意に選択された「送り対象」を設定したりするようにしてもよい。
【００３１】
また、「送り量」の「有効フラグ」が“１”でなければ（ステップＡ７でＮＯ）、「送り対象」の「有効フラグ」が“１”であるから、タイマの計測時間に基づいて動作設定テーブルＴＢ１の「送り対象」を検索して、今回の送り動作の設定値とする（ステップＡ９）。このように「送り対象」は、今回の送り動作として、どのような種類の分類のデータを送るかを示す送り対象として設定される。このようにスライド操作とは異なる操作状態（タッチ静止時間）に応じて、送り動作の種類（送り対象）が変更される。なお、この場合の「送り量」としては、デフォルト値（例えば、１データ）を設定したり、ユーザ操作で任意に選択された「送り量」を設定したりするようにしてもよい。
【００３２】
これによってタイマ計測時間に基づいて「送り量」、「送り対象」を設定する終了が終わると、その設定内容を識別可能に表示させる（ステップＡ１０）。図４の例では、画像の右上角部に「送り量」の“１データ”を識別するための情報として“１”が表示されている状態を示している。また、図５の例では、画像の右上角部に「送り対象」の“月順／時刻順を識別するための情報として“月時”が表示されている状態を示している。なお、この識別表示の位置は、画像内に限らず、表示画面の片隅などであってもよく、また、アイコンなどを表示するようにしてもよい。
【００３３】
次に、スライド操作の移動方向を検出し（ステップＡ１１）、その移動方向は複数の設定方向のいずれに該当しているかを判別する（ステップＡ１２）。この場合、上下方向（縦方向）、左右方向（横方向）のいずれの方向に該当しているか、つまり、縦方向へのスライド操作（縦なぞり操作）であるか、横方向へのスライド操作（横なぞり操作）であるかを判別する。その結果、いずれの設定方向にも該当していなければ（ステップＡ１２でＮＯ）、今回のスライド操作を無効とするために、上述のタイマをリセット（ステップＡ１８）した後、図３のフローから抜ける。
【００３４】
また、スライド操作の移動方向が、いずれかの方向に該当していれば（ステップＡ１２でＹＥＳ）、方向設定テーブルＴＢ２の「有効フラグ」が“１”の項目は“上下上位”であるかを調べ（ステップＡ１３）、“上下上位”の場合に（ステップＡ１３でＹＥＳ）、スライド操作の移動方向が上下方向であれば、上位の分類系列を選択して上下方向に割り当て設定し、左右方向であれば、下位の分類系列を選択して左右方向に割り当て設定する（ステップＡ１４）。また、「有効フラグ」が“１”の項目が“左右上位”の場合に（ステップＡ１３でＮＯ）、スライド操作の移動方向が上下方向であれば、下位の分類系列を選択して上下方向に割り当て設定し、左右方向であれば、上位の分類系列を選択して左右方向に割り当て設定する（ステップＡ１５）。なお、図４の例では、上述したように方向別設定が“上下上位”の場合である。
【００３５】
このようにして設定処理が終わると、その動作設定（送り量、送り対象）、方向設定（上下上位／左右上位）に応じてデータ記憶部Ｍ２を検索し、各データの付加情報を参照することにより該当するデータを読み出し取得し（ステップＡ１６）、この取得したデータを表示部６に切り替え表示させる（ステップＡ１７）。これによって分類系列に対応するデータをスライド操作に応じて送る送り動作が行われることになる。その後、上述のタイマをリセット（ステップＡ１８）した後、図３のフローから抜ける。
【００３６】
ここで、図４のように送り対象が“日付順／時刻順”、送り量が“１データ”で、方向別設定が“上下上位”の場合に、左方向へのスライド操作では一日のうちでデータＤＣ１の時刻より一つ前の時刻のデータＤＬ１に切り替え表示させるためのデータ送りを行い、右方向へのスライド操作では一日のうちでデータＤＣ１の時刻より一つ先の時刻のデータＤＲ１に切り替え表示させるためのデータ送りを行う。また、上方向へのスライド操作ではデータＤＣ１の日付より一つ前の日付（前日）の先頭データＤＵ１に切り替え表示させるためのデータ送りを行い、下方向へのスライド操作ではデータＤＣ１の日付より一つ先の日付（次の日）の先頭データＤＤ１に切り替え表示させるためのデータ送りを行う。
【００３７】
また、図５のように送り対象が“月順／時刻順”、送り量が“１データ”で、方向別設定が“上下上位”の場合に、上方向へのスライド操作ではデータＤＣ２の月より一カ月前の先頭データＤＵ２に切り替え表示させるためのデータ送りを行い、下方向へのスライド操作ではデータＤＣ２の月より一カ月先の月の先頭データＤＤ２に切り替え表示させるためのデータ送りを行う。この場合の識別表示は、“月時”から“月”に変更される。また、左方向へのスライド操作ではデータＤＣ２の月のうち一つ前の時刻のデータＤＬ２に切り替え表示させるためのデータ送りを行い、右方向へのスライド操作ではデータＤＣ２の月のうち一つ先の時刻のデータＤＲ２に切り替え表示させるためのデータ送りを行う。この場合の識別表示は、“月時”から“時”に変更される。
【００３８】
以上のように第一実施形態における表示データ制御装置は、データ記憶部Ｍ２内の複数のデータを分類別に順序付けた各分類系列のデータとして管理している状態において、タッチ表示部５上でスライド操作が行われた場合にその移動方向が複数の所定方向のいずれに該当しているかを判別して、その方向に対応付けられている分類系列を選択すると共に、その分類系列に対応するデータの送り動作をスライド操作に応じて制御するようにしたので、表示データを送る操作を行いながら所望するデータを探し出す場合に、スライド操作の移動方向に応じて分類系列を送り対象として選択することができ、例え、大量のデータの中からでも所望するデータを効率良く探し出して表示することができ、ユーザの負担を大幅に軽減することが可能となるほか、利便性の高いものとなる。
【００３９】
方向設定テーブルＴＢ２において、複数の所定方向と各分類系列との対応関係を任意に設定可能としたので、ユーザの目的や好みに応じた設定を行うことができ、ユーザにマッチした送り動作が可能となり、データを探し出す作業がより容易となる。
【００４０】
複数の所定方向のいずれかの方向を上位の分類系列に対応付け、他のいずれかの方向を下位の分類系列に対応付けたので、ユーザにとっては上位・下位の関係という感覚的に分かり易いデータ送りが可能となり、更に利便性の高いものとなる。
【００４１】
この場合、上位の分類系列を、日付に順序付けた日付系列とし、下位の分類系列を、時刻に順序付けた時刻系列としたので、例えば、スライド操作が上下方向の“縦なぞり”であれば、日付単位のデータ送りを行うことができ、左右方向の“横なぞり”であれば、時刻単位のデータ送りを行うことができる。
【００４２】
また、複数の所定方向を左右方向と上下方向としたので、ユーザにとっては感覚的に分かり易い方向となり、操作性の向上を期待することができる。
【００４３】
タッチ表示部５上でスライド操作の移動方向とは異なる操作状態を検出し、検出された操作状態に応じて、送り動作の種類を変更するようにしたので、簡単な変更動作でユーザの目的や好みに合った送り動作の種類に変更することができ、データを探し出す作業がより容易となる。
【００４４】
また、タッチ表示部５上でタッチしながら移動する前のタッチ操作のタッチ時間を検出し、そのタッチ時間に基づいて送り動作を変更する制御を行うようにしたので、スライド操作時の最初のタッチ位置でのタッチ時間に応じて送り動作を制御することができ、ユーザにとって更に利便性の高いものとなる。
【００４５】
この場合、タッチ時間に応じた送り動作として、送り量を変更する制御を行うようにしたので、タッチ時間が“~１秒”、“１~２秒”、…、に対応して送り量を“１データ”、“２データ”のように増やすことができる。
【００４６】
また、タッチ時間に応じた送り動作として、分類系列を変更する制御を行うようにしたので、タッチ時間が“~１秒”、“１~２秒”、…、に対応して分類系列を“日付順／時刻順”、“月順／時刻順”、…、のように変更することができる。
【００４７】
送り動作の制御内容として、送り量の変更であれば“１”、“２”、…、のような識別表示を行い、分類系列の変更であれば“月”、“時”、…、のような識別表示を行うようにしたので、どのような制御を行うかをユーザに知らせることができ、更に利便性の高いものとなる。
【００４８】
なお、上述した第一実施形態においては、タッチ表示部５上でタッチしながら移動する前のタッチ操作のタッチ時間を検出し、そのタッチ時間に基づいて送り動作を変更するようにしたが、移動する前のタッチ回数を計数し、そのタッチ回数に基づいて送り動作を変更するようにしてもよい。
【００４９】
（第二実施形態）
以下、この発明の第二実施形態について図６〜図９を参照して説明する。
なお、上述した第一実施形態においては、タッチ表示部５上でタッチしながら移動する前のタッチ操作のタッチ時間を検出し、そのタッチ時間に基づいて送り動作を変更する制御を行うようにしたが、第二実施形態においては、タッチ表示部５上で複数の位置を指などで同時にタッチしながら同一方向に移動するスライド操作（マルチタッチ操作）が行われた場合に、そのタッチした位置の数（指などの本数）をマルチタッチ数として検出し、そのマルチタッチ数に基づいて送り動作を変更する制御を行うようにしたものである。ここで、両実施形態において基本的あるいは名称的に同一のものは、同一符号を付して示し、その説明を省略すると共に、以下、第二実施形態の特徴部分を中心に説明するものとする。
【００５０】
図６は、第二実施形態における動作設定テーブルＴＢ１を説明するための図である。
動作設定テーブルＴＢ１は、画像などのデータの送り動作をタッチセンサ７上のマルチタッチ操作に応じて制御する場合に、どのような送り動作を行わせるかを設定する設定用のテーブルで、図６に示すように「マルチタッチ数」に対応して「送り量」、「送り対象」の項目を有する構成となっている。この場合、第一実施形態と同様に「送り量」、「送り対象」に対応付けられている「有効フラグ」は、「送り量」、「送り対象」のいずれを有効とするかを示すフラグである。
【００５１】
「マルチタッチ数」は、タッチ表示部５上でマルチタッチ操作が行われた場合に、そのタッチした位置の数（指などの本数）であり、制御部１は、マルチタッチ操作時にそのマルチタッチ数を計数するようにしている。図示の例は、「マルチタッチ数」の“１本”、“２本”、“３本”、“４本”、“５本”の場合を示し、この「マルチタッチ数」に対応して「送り量」には、“１データ”、“２データ”、“３データ”、“５データ”、“１０データ”が記憶されている。また、「マルチタッチ数」の“１本”、“２本”、“３本”、“４本”、“５本”に対応して「送り対象」には、“日付順／時刻順”、“月順／時刻順”、“年順／時刻順”、“場所順／時刻順”、“人物／時刻順”が記憶されている。
【００５２】
図７は、第二実施形態において、タッチ表示部５を構成するタッチセンサ７上でマルチタッチ操作（なぞり操作）が行われた際に実行開始されるデータ送り動作を示したフローチャートである。なお、図７は、マルチタッチ操作が行われた場合の動作を示したもので、それ以外のタッチ操作が行われた場合の動作は図示省略したものである。以下、データ送り動作を図８、図９を参照して具体的に説明するものとする。
図８は、マルチタッチ操作の移動方向に応じてデータ送りが行われる場合を具体的に示した図で、動作設定テーブルＴＢ１においてマルチタッチ数が“２本”の場合、「有効フラグ」が“１”の項目が「送り量」で“１データ”、「送り対象」が“日付順／時刻順”の場合、更に方向設定テーブルＴＢ２において方向別設定が“上下上位”の場合を例示したものである。図中、中央位置に表示されているデータＤＣ３は、マルチタッチ操作の前に表示されている画像である。
【００５３】
図９は、更に、マルチタッチ操作の移動方向に応じてデータ送りが行われる場合を具体的に示した図で、動作設定テーブルＴＢ１においてマルチタッチ数が“４本”の場合、「有効フラグ」が“１”の項目が「送り対象」で“場所順／時刻順”の場合、「送り量」が“１データ”の場合、更に方向設定テーブルＴＢ２において方向別設定が“上下上位”の場合を例示したものである。いま、図中、中央位置に表示されているデータＤＣ４は、マルチタッチ操作の前に表示されている画像である。
【００５４】
先ず、制御部１は、マルチタッチ操作に応じて“マルチタッチ数”を計数（図７のステップＢ１）した後、動作設定テーブルＴＢ１を参照し、「送り量」の「有効フラグ」が“１”であるかを調べる（ステップＢ２）。いま、「送り量」の「有効フラグ」が“１”であれば（ステップＢ２でＹＥＳ）、“マルチタッチ数”に基づいて動作設定テーブルＴＢ１の「送り量」を検索して今回の送り動作の設定値とする（ステップＢ３）。なお、この場合の「送り対象」としては、デフォルト値（例えば、日付順／時刻順）を設定したり、ユーザ操作で任意に選択された「送り対象」を設定したりするようにしてもよい。
【００５５】
また、「送り量」の「有効フラグ」が“１”でなければ（ステップＢ２でＮＯ）、「送り対象」の「有効フラグ」が“１”であるから、“マルチタッチ数”に基づいて動作設定テーブルＴＢ１の「送り対象」を検索し、今回の送り動作の設定値とする（ステップＢ４）。なお、この場合の「送り量」としては、デフォルト値（例えば、１データ）を設定したり、ユーザ操作で任意に選択された「送り量」を設定したりするようにしてもよい。次に、マルチタッチ操作の移動方向を検出し（ステップＢ５）、その移動方向は複数の設定方向のいずれに該当しているかを判別する（ステップＢ６）。ここで、いずれの設定方向にも該当していなければ（ステップＢ６でＮＯ）、今回のマルチタッチ操作を無効とするために、“マルチタッチ数”をリセット（ステップＢ１３）した後、図７のフローから抜ける。
【００５６】
また、マルチタッチ操作の移動方向がいずれかの方向に該当していれば（ステップＢ６でＹＥＳ）、以下、第一実施形態と同様に、方向設定テーブルＴＢ２の「有効フラグ」が“１”の項目が“上下上位”の場合に（ステップＢ７でＹＥＳ）、マルチタッチ操作の移動方向が上下方向であれば、上位の分類系列を選択して上下方向に割り当て設定し、左右方向であれば、下位の分類系列を選択して左右方向に割り当て設定する（ステップＢ８）。また、「有効フラグ」が“１”の項目が“左右上位”の場合に（ステップＢ７でＮＯ）、マルチタッチ操作の移動方向が上下方向であれば、下位の分類系列を選択して上下方向に割り当て設定し、左右方向であれば、上位の分類系列を選択して左右方向に割り当て設定する（ステップＢ９）。
【００５７】
このような設定処理が終わると、その動作設定（送り量、送り対象）、方向設定（上下上位／左右上位）に応じてデータ記憶部Ｍ２を検索し、各データの付加情報を参照することにより該当するデータを読み出し取得し（ステップＢ１０）、その取得データを表示部６に切り替え表示させる（ステップＢ１１）。これによって分類系列に対応するデータをマルチタッチ操作に応じて送る送り動作が行われることになる。そして、「送り量」、「送り対象」の設定内容を識別可能に表示（ステップＢ１２）させると共に、“マルチタッチ数”をリセット（ステップＢ１３）した後、図７のフローから抜ける。
【００５８】
ここで、図８のように送り対象が“日付順／時刻順”、送り量が“２データ”で、方向別設定が“上下上位”の場合に、左方向へのマルチタッチ操作では一日のうちでデータＤＣ３の時刻より二つ前の時刻のデータＤＬ３に切り替え表示させるためのデータ送りを行い、右方向へのマルチタッチ操作では一日のうちでデータＤＣ３の時刻より二つ先の時刻のデータＤＲ３に切り替え表示させるためのデータ送りを行う。また、上方向へのマルチタッチ操作ではデータＤＣ３の日付より二日前の日付の先頭データＤＵ３に切り替え表示させるためのデータ送りを行い、下方向へのマルチタッチ操作ではデータＤＣ３の日付より二日先の日付の先頭データＤＤ３に切り替え表示させるためのデータ送りを行う。この場合の識別表示は、“２”となる。
【００５９】
また、図９のように送り対象が“場所順／時刻順”、送り量が“１データ”で、方向別設定が“上下上位”の場合に、上方向へのマルチタッチ操作では一つ前の場所の先頭データＤＵ４に切り替え表示させるためのデータ送りを行い、下方向へのマルチタッチ操作では次の場所の先頭データＤＤ４に切り替え表示させるためのデータ送りを行う。この場合の識別表示は、場所を示す“所”となる。また、左方向へのマルチタッチ操作では一つの場所のうちで一つ前の時刻のデータＤＬ４に切り替え表示させるためのデータ送りを行い、右方向へのマルチタッチ操作では一場所のうちで一つ先の時刻のデータＤＲ４に切り替え表示させるためのデータ送りを行う。この場合の識別表示は、“時”に変更される。
【００６０】
以上のように第二実施形態における表示データ制御装置においても、第一実施形態と同様に、大量のデータの中からでも所望するデータを効率良く探し出して表示することができ、ユーザの負担を大幅に軽減することが可能となるほか、利便性の高いものとなるほか、タッチ表示部５上でマルチタッチ操作が行われた場合に、その“マルチタッチ数”を検出し、その“マルチタッチ数”に基づいて送り動作を変更する制御を行うようにしたので、“マルチタッチ数”に応じて送り動作を制御することができ、ユーザにとって更に利便性の高いものとなる。
【００６１】
この場合、“マルチタッチ数”に応じた送り動作として、送り量を変更する制御を行うようにしたので、“マルチタッチ数”が“１本”、“２本”、…、に対応して送り量を“１データ”、“２データ”のように増やすことができる。
【００６２】
また、“マルチタッチ数”に応じた送り動作として、分類系列を変更する制御を行うようにしたので、“マルチタッチ数”が“１本”、“２本”、…、に対応して分類系列を“日付順／時刻順”、“月順／時刻順”、…、のように変更することができる。
【００６３】
なお、上述した各実施形態においては、複数の所定方向を左右方向と上下方向としたが、左右方向と上下方向のほかに斜め方向を含めるようにしてもよい。図１０は、複数の所定方向として左右方向と上下方向のほかに斜め方向を含めた場合の動作概要を説明するための図である。制御部１は、スライド操作（マルチタッチ操作も含む）の移動方向が斜め方向であれば、左右方向及び上下方向を座標軸とする直交座標系上のどの象限にその斜め方向が属しているかを判別し、その象限を特定するための左右方向及び上下方向に対応する分類系列の個々をそれぞれ選択した後、選択した各分類系列を組み合わせたデータに対する送り動作を制御するようにしている。
【００６４】
図１０（１）、（２）は、斜め方向へのスライド操作が行われた場合を例示した図である。ここで、上述した図４と同様に、送り対象が“日付順／時刻順”、送り量が“１データ”で、方向別設定が“上下上位”の場合である。このような場合に右方向へのスライド操作では一日のうちで一つ先の時刻のデータに切り替え表示させるためのデータ送りを行い、また、上方向へのスライド操作では一つ前の日付（前日）の先頭データに切り替え表示させるためのデータ送りを行う。
【００６５】
ここで、図１０（１）に示すように、直交座標系上のどの第三象限から第一象限に向かうように移動させた場合のスライド操作、つまり、右上方向へのスライド操作が行われると、その斜め方向は第一象限に属しているため、右方向の時刻順と上方向の日付順とを組み合わせたデータへの送りが行われる。つまり、前日のうちで一つ先の時刻のデータに切り替え表示させるためのデータ送りが行われる。図１０（２）は、斜め方向へのスライド操作として、直交座標系上のどの第一象限から第三象限に向かうように左下方向に移動させた場合のスライド操作を示し、この場合には、左方向の時刻順と下方向の日付順とを組み合わせたデータ、つまり、次の日のうちで一つ前の時刻のデータに切り替え表示させるためのデータ送りが行われる。このように斜め方向への移動により複数の分類系列を組み合わせたデータに対する送り動作が行われるので、データを更に効率良く探し出して表示することができる。
【００６６】
また、上述した各実施形態においては、データ記憶部Ｍ２に複数のデータ（例えば、撮影画像：静止画像）がその撮影日時順にしたがって順次記憶されている場合において、データ記憶部Ｍ２内の各画像データを分類別に順序付けた各分類系列のデータとして管理するようにしたが、データ記憶部Ｍ２にデータを記憶させる際に、そのデータの分類を判別して分類系列のデータとして、データ記憶部Ｍ２内に分類フォルダ別に記憶させるようにしてもよい。
【００６７】
また、静止画像に限らす、動画であっても同様に適用可能である。この場合、所定時間毎に区切ったり、チャプタ毎に区切ったりしてデータ送りを行うようにしてもよい。また、画像データに限らず、文書ファイル、スケジュールテーブル、メモデータなどであってもよく、また、それらを混合したデータであってもよい。
【００６８】
また、上述した各実施形態においては、上位／下位の分類系列として、“日付順／時刻順”、“月順／時刻順”、“年順／時刻順”、“場所順／時刻順”、“人物／時刻順”を例示したが、時間軸とは別に、例えば、会社組織であれば、部署、関連会社、取引先などを上位／下位の分類系列としてもよい。
【００６９】
また、表示データ制御装置としては、デジタルカメラ、多機能型携帯電話機に限らず、パーソナルコンピュータ、ＰＤＡ（個人向け携帯型情報通信機器）、携帯型音楽プレイヤー、携帯型ゲーム機など、であってもよい。
【００７０】
また、上述した各実施形態において示した“装置”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００７１】
以上、この発明の実施形態について説明したが、この発明は、これに限定されるものではなく、特許請求の範囲に記載された発明とその均等の範囲を含むものである。
以下、本願出願の特許請求の範囲に記載された発明を付記する。
（付記）
（請求項１）
請求項１に記載の発明は、
表示データの送り動作をタッチ入力手段上のタッチ操作に応じて制御する表示データ制御装置であって、
複数のデータを分類別に順序付けた各分類系列のデータとして管理するデータ管理手段と、
前記タッチ入力手段上でタッチしながら移動するスライド操作の移動方向を検出する移動方向検出手段と、
前記移動方向検出手段により検出された移動方向が複数の所定方向のいずれに該当しているかを判別する判別手段と、
前記複数の所定方向と前記各分類系列とが対応付けられている対応関係の中から前記判別手段により判別された移動方向に対応する前記分類系列を選択する選択手段と、
前記選択手段により選択された前記分類系列に対応するデータの送り動作を前記スライド操作に応じて制御する送り制御手段と、
を備えることを特徴とする表示データ制御装置である。
（請求項２）
請求項２に記載の発明は、請求項１に記載の表示データ制御装置において、
前記複数の所定方向と各分類系列との対応関係を設定する設定手段を更に備え、
前記選択手段は、前記設定手段により設定された対応関係に基づいて、前記移動方向に対応する分類系列を選択する、
ようにしたことを特徴とする表示データ制御装置。
（請求項３）
請求項３に記載の発明は、請求項１あるいは請求項２に記載の表示データ制御装置において、
前記分類別に順序付けた分類系列は、上位の分類系列とその下位の分類系列を有し、
前記選択手段は、前記複数の所定方向のいずれかの方向が前記上位の分類系列に対応付けられ、他のいずれかの方向が前記下位の分類系列に対応付けられている対応関係の中から前記判別手段により判別された移動方向に対応する前記上位の分類系列あるいは下位の分類系列を選択する、
ようにしたことを特徴とする表示データ制御装置である。
（請求項４）
請求項４に記載の発明は、請求項３に記載の表示データ制御装置において、
前記上位の分類系列は、日付に順序付けた日付系列であり、前記下位の分類系列は、時刻に順序付けた時刻系列である、
ことを特徴とする表示データ制御装置である。
（請求項５）
請求項５に記載の発明は、請求項１〜請求項４のいずれかに記載の表示データ制御装置において、
前記複数の所定方向は、左右方向と上下方向であり、
前記判別手段は、前記移動方向検出手段により検出された移動方向が左右方向、上下方向のいずれに該当しているかを判別する、
ようにしたことを特徴とする表示データ制御装置である。
（請求項６）
請求項６に記載の発明は、請求項１〜請求項５のいずれかに記載の表示データ制御装置において、
前記複数の所定方向は、左右方向と上下方向であり、
前記判別手段は、前記移動方向検出手段により検出された移動方向が左右方向と上下方向とに対して斜めとなる方向である場合に、前記左右方向及び上下方向を座標軸とする座標系上のどの象限内に前記斜め方向が含まれているかを更に判別し、
前記選択手段は、前記判別手段により判別された象限に属する左右方向及び上下方向に対応して前記分類系列をそれぞれ選択し、
前記送り制御手段は、前記選択手段により選択された各分類系列を組み合わせたデータに対する送り動作を制御する、
ようにしたことを特徴とする表示データ制御装置である。
（請求項７）
請求項７に記載の発明は、請求項１〜請求項６のいずれかに記載の表示データ制御装置において、
前記タッチ入力手段上で前記スライド操作の移動方向とは異なる操作状態を検出する操作状態検出手段と、
前記操作状態検出手段により検出された操作状態に応じて、前記送り制御手段による送り動作の種類を変更する制御を行う変更制御手段と、
を更に備える、
ようにしたことを特徴とする表示データ制御装置。
（請求項８）
請求項８に記載の発明は、請求項７に記載の表示データ制御装置において、
前記操作状態検出手段は、前記タッチ入力手段上でタッチしながら移動する前のタッチ操作のタッチ時間を検出し、
前記変更制御手段は、前記操作状態検出手段により検出されたタッチ時間に基づいて前記送り制御手段による送り動作の種類を変更する制御を行う、
ようにしたことを特徴とする表示データ制御装置である。
（請求項９）
請求項９に記載の発明は、請求項７に記載の表示データ制御装置において、
前記操作状態検出手段は、前記タッチ入力手段上で複数の位置を同時にタッチしながら同一方向に移動するマルチタッチ操作が行われた場合に、そのマルチタッチ数を検出し、
前記変更制御手段は、前記操作状態検出手段により検出されたマルチタッチ数に基づいて前記送り制御手段による送り動作の種類を変更する制御を行う、
ようにしたことを特徴とする表示データ制御装置である。
（請求項１０）
請求項１０に記載の発明は、請求項８あるいは請求項９に記載の表示データ制御装置において、
前記変更制御手段は、前記送り制御手段による送り動作として送り量を変更する制御を行う、
ようにしたことを特徴とする表示データ制御装置である。
（請求項１１）
請求項１１に記載の発明は、請求項８あるいは請求項９に記載の表示データ制御装置において、
前記変更制御手段は、前記送り制御手段による送り動作として送り対象の前記分類系列を変更する制御を行う、
ようにしたことを特徴とする表示データ制御装置である。
（請求項１２）
請求項１２に記載の発明は、請求項１〜１１のいずれかに記載の表示データ制御装置において、
前記送り制御手段が制御する送り動作の制御内容を識別可能に出力する出力手段を更に備える、
ようにしたことを特徴とする表示データ制御装置。
（請求項１３）
請求項１１に記載の発明は、
複数のデータを分類別に順序付けた各分類系列のデータとして管理するステップと、
タッチ入力手段上でタッチしながら移動するスライド操作の移動方向を検出するステップと、
前記検出された移動方向が複数の所定方向のいずれに該当しているかを判別するステップと、
前記複数の所定方向と前記各分類系列とが対応付けられている対応関係の中から前記判別された移動方向に対応する前記分類系列を選択するステップと、
前記選択された前記分類系列に対応するデータの送り動作を前記スライド操作に応じて制御するステップと、
を備えることを特徴とする表示データ制御方法である。
（請求項１２）
請求項１２に記載の発明は、
コンピュータに対して、
複数のデータを分類別に順序付けた各分類系列のデータとして管理する機能と、
タッチ入力手段上でタッチしながら移動するスライド操作の移動方向を検出する機能と、
前記検出された移動方向が複数の所定方向のいずれに該当しているかを判別する機能と、
前記複数の所定方向と前記各分類系列とが対応付けられている対応関係の中から前記判別された移動方向に対応する前記分類系列を選択する機能と、
前記選択された前記分類系列に対応するデータの送り動作を前記スライド操作に応じて制御する機能と、
を実現させるためのプログラムである。
【符号の説明】
【００７２】
１  制御部
３  記憶部
５  タッチ表示部
６  表示部
７  タッチセンサ
Ｍ１  プログラム記憶部
Ｍ２  データ記憶部
ＴＢ１  動作設定テーブル
ＴＢ２  方向設定テーブル
【図１】
2013117907.tif 000003
【図２】
2013117907.tif 000004
【図３】
2013117907.tif 000005
【図４】
2013117907.tif 000006
【図５】
2013117907.tif 000007
【図６】
2013117907.tif 000008
【図７】
2013117907.tif 000009
【図８】
2013117907.tif 000010
【図９】
2013117907.tif 000011
【図１０】
2013117907.tif 000012